(57)【要約】      （修正有）【課題】試合や練習中の怪我を防止するスポーツゴールを提供する。【解決手段】スポーツゴールは、相互に接続される複数の支柱を備えて結節点を形成する。支柱は、クロスバーを画定する１つ以上のクロスバー支柱と、それぞれのゴールポストを画定する２つ以上のゴールポスト支柱と、ゴールのそれぞれの左側および右側の下部、並びに後部を画定するために、地面に沿って横たわる複数の地面支柱と、地面支柱を、クロスバー支柱およびゴールポスト支柱が接続してゴールの隅を形成する結節点に相互接続する突っ張り支柱と、ゴールの後部を画定する地面支柱を、クロスバー支柱の長さの中間にある１つ以上の点で、クロスバー支柱に相互接続する１つ以上の突っ張り構造物を画定する支柱と、を備える。支柱は、支柱または結節点でそれぞれの支柱を接続する手段に設けられる１つ以上の弁を介して空気ポンプからの空気で充填可能に適合される管状材料から形成される。【選択図】図１
0003143669.tif 000002
【実用新案登録請求の範囲】
【請求項１】
スポーツゴールであって、
相互に接続される複数の支柱を備えて結節点を形成する構造物と、
前記支柱は、
クロスバーを画定する１つ以上のクロスバー支柱と、
それぞれのゴールポストを画定する２つ以上のゴールポスト支柱と、
前記ゴールのそれぞれの左側および右側の下部、並びに後部を画定するために、地面に沿って横たわる複数の地面支柱と、
前記地面支柱を、前記クロスバー支柱およびゴールポスト支柱が接続して前記ゴールの隅を形成する前記結節点に相互接続する突っ張り支柱と、
前記ゴールの前記後部を画定する地面支柱を、前記クロスバー支柱の長さの中間にある１つ以上の点で、前記クロスバー支柱に相互接続する１つ以上の突っ張り構造物を画定する支柱と、を備え、
前記支柱は、空気ポンプから空気によって充填されるように適合される管状材料から形成され、
前記支柱を前記ポンプから充填可能にするために、前記構造物に設けられる１つ以上の弁と、を備えるスポーツゴール。
【請求項２】
前記構造物に取り付けられるネットをさらに備える、請求項１に記載のスポーツゴール。
【請求項３】
前記ネットは、前記管状材料と一体に成形されるフックまたはアイを介して、前記支柱に取り付け可能である、請求項２に記載のスポーツゴール。
【請求項４】
前記管状材料は、天然ゴムまたは合成ゴム、もしくはそれらのプラスチック代替品から形成される、請求項１に記載のスポーツゴール。
【請求項５】
前記管状材料は、ナイロン糸で補強される、請求項４に記載のスポーツゴール。
【請求項６】
前記支柱は、前記結節点で、互いに永久に接続される、請求項１に記載のスポーツゴール。
【請求項７】
前記各結節点は、実質的に剛性のスタブパイプの短い長さで形成される個別の中空コネクタによって画定され、かつ一個部品として成形され、
それぞれの前記支柱を画定する前記管状材料の長さの端部が、それぞれの前記スタブパイプの端部にわたって押し付けられ、それに連結される、請求項１に記載のスポーツゴール。
【請求項８】
前記各結節点は、適切な角度で接続されるスタブパイプの短い長さで形成される個別の中空コネクタによって画定され、かつ空気によって充填されるように適合される材料の一個部品として形成され、
それぞれの前記支柱を画定する前記管状材料の長さの端部が、それぞれの前記スタブパイプの端部に連結され、
前記スポーツゴールを使用していない場合には、前記スポーツゴールは、全体として収縮され、現場まで運搬され、空気充填によって全体として組み立てられることができる、請求項１に記載のスポーツゴール。
【請求項９】
前記構成物に設けられ、強風で前記ゴールが移動しないようにするために、支持索および／またはアンカと協働するアイまたはフックをさらに備える、請求項１に記載のスポーツゴール。
【請求項１０】
前記ゴールポストおよび／または前記クロスバーを形成する１つ以上の前記支柱のために、空気によって充填されるときに、前記支柱の外面に略適合するような形状である細長い湾曲したプラスチックシェルをさらに備え、
前記プラスチックシェルは、１つ以上のフックアンドループ固着具ストリップによって、その周辺に固着される、請求項１に記載のスポーツゴール。
【請求項１１】
分解可能なスポーツゴールを現場で組み立てるために、試合が行われることになっている運動場まで運搬し、乗用車（自動車）の荷物入れ（トランク）に容易に収納可能である部品のキットとして形成される、請求項１に記載のスポーツゴール。
【請求項１２】
分解可能なスポーツゴールに組み立てるための部品のキットであって、
前記キットは、
支柱を形成するために適合される複数の長さの管状材料と、
クロスバー支柱と、ゴールポスト支柱と、ゴールのそれぞれの左側および右側の下部並びに後部を画定する地面支柱と、前記地面支柱を前記ゴールポストと前記クロスバーの端部との間に画定される前記ゴールの隅に及び前記端部の中間にある前記クロスバーの長さに沿った１つ以上の位置に相互接続する突っ張り構造物と、を有する一体構造物を形成するために、前記支柱を相互接続する結節点を形成するように適合される複数のコネクタと、を備え、
前記管状材料が、前記管状材料または前記コネクタに設けられる１つ以上の弁を介して空気圧源から空気によって充填されることができる、部品のキット。
【請求項１３】
前記管状材料およびコネクタから形成される組立体に取り付け可能なネットをさらに備える、請求項１２に記載の部品のキット。
【考案の詳細な説明】
【技術分野】
【０００１】
本考案は、スポーツ、たとえば、これ以外を排除するわけではないが、サッカーをプレイするためのゴールに関する。
【背景技術】
【０００２】
国際サッカー連盟、すなわちＦＩＦＡは、国際基準に基づいて、サッカーをプレイするためのゴールのサイズに関する規格を定めている。国内および国際の備品に関して用いられるフルサイズの規格に加えて、異なる年齢の若年層に関連する備品に関する複数の規格がある。
【０００３】
サッカーをプレイするために、ゴールは一般に、ゴールの後部を画定するネットと共に、１対の離隔されたゴールポストおよびゴールポストの上部を連結するクロスバーを含む。ゲーム後にネットが取り外される場合であっても、ゴールポストおよびクロスバーは、サッカー競技場、運動場などにおいて永久的なまたは半永久的な備品として所定の場所に残ったままである。ゴールポストの上部は、スパイクを有するように形成されることが時々あり、クロスバーの端部には、対応する穴を有するように形成され、クロスバーがゴールポストの上部に合わせ、試合間またはシーズンの終わりのいずれに半永久構造物を分解することを可能にすることもできる。特に、アマチュアの場合には、ネットに加えて単独の一体構造物として設けられるかまたは３つの要素に分解可能であるものとして設けられるかに関係なく、ゴールポストおよびクロスバーの頑丈な構造物を収納する必要性は、主要な問題である。アマチュアチームによる運動場の週末用備品の場合には、これらの要素が再び必要とされるまで格納されることができるスポーツ用の別棟または収納倉庫が現地にない場合がある。従来のゴールの要素は、遠い収納場所から試合が行われることになっているグランドまで乗用車（自動車）によって都合よく運ぶことはできない。
【０００４】
ゴールポストおよびクロスバーを含む永久的または半永久的構造物はまた、頑丈でもあり、選手は一般に、試合中にこれらの構造物と接触することによって、特に頭部を負傷する。実際に、ラグビーの場合には、特にアマチュアの試合において、怪我を防ぐために、直立するゴールポストに当て物をすることが一般的であるが、これはサッカーの場合には可能ではない。
【考案の開示】
【考案が解決しようとする課題】
【０００５】
本考案は、これらの問題点を克服することを探求している。
【０００６】
以下でさらに詳細に説明するように、クロスバーおよびゴールポストが現場で空気によって充填可能な管状材料から形成される完全に分解可能な形状でスポーツゴールを提供することによって、この目的を達成する。本考案者は、適切な連盟の規則を満たす良好な構造物を実現するために、クロスバーはその端部の中間であって一般にその中央部分に少なくとも１つの突っ張り支持材を有するように設けることが必要であることを認識している。そのような位置にそのような追加の突っ張りがない場合には、クロスバーの中央は撓む傾向があり、結果としてゴールは、それぞれの連盟の規則によって指定される規格を満たさない。
【課題を解決するための手段】
【０００７】
本考案の第１の態様によれば、相互に接続される複数の支柱を備えて結節点を形成する構造物と、前記支柱は、クロスバーを画定する１つ以上のクロスバー支柱と、それぞれのゴールポストを画定する２つ以上のゴールポスト支柱と、前記ゴールのそれぞれの左側および右側の下部、並びに後部を画定するために、地面に沿って横たわる複数の地面支柱と、前記地面支柱を、前記クロスバー支柱およびゴールポスト支柱が接続して前記ゴールの隅を形成する前記結節点に相互接続する突っ張り支柱と、前記ゴールの前記後部を画定する地面支柱を、前記クロスバー支柱の長さの中間にある１つ以上の点で、前記クロスバー支柱に相互接続する１つ以上の突っ張り構造物を画定する支柱と、を備え、前記支柱は、空気ポンプから空気によって充填されるように適合される管状材料から形成され、前記支柱を前記ポンプから充填可能にするために、前記構造物に設けられる１つ以上の弁と、を備えるスポーツゴールが提供される。また、選択的に、前記構造物に取り付けられるネットをさらに提供される。
【０００８】
前記管状材料は、天然ゴムまたは合成ゴム、もしくはそれらのプラスチック代替品から形成されてもよく、好ましくはナイロン糸によって補強される。ネットは、適用可能な規則及び規定がネットを要求または許容するスポーツに用いられるゴールのために採用される。ネットは、管状材料と一体に成形されるフック（Ｈｏｏｋ）またはアイ（ｅｙｅ）によって支柱に取り付け可能であってもよい。
【０００９】
前記支柱は、結節点で互いに空気によって接続されてもよい。適切な構成で、短い長さの管材（スタブパイプ）によって形成される個別の中空コネクタは、ナイロンなどの硬質プラスチック材料からの一個部材として成形されてもよい。前記支柱管材の端部は、スタブパイプの端部にわたって押し付けられ、所定の場所に接着または溶接される。あるいは、ワイヤまたはジュビリクリップ（Ｊｕｂｉｌｅｅ  ｃｌｉｐ）などの適切なクリップを用いて、所定の場所に保持されてもよい。あるいは、個別の中空コネクタは、支柱と同一の材料または類似の材料から形成されてもよいが、わずかにより大きい太さであるように形成されるか、または追加的に補強によってさらに剛性を与えることが好ましい。支柱は、一体構造物を作製するために、ワイヤまたはクリップ、もしくはさらに好ましくは適切な接着剤または融合によって、コネクタに接続される。結果として生じる構造物は共に接続されるが、必要に応じて、現場で組み立てられ、次に収縮されることができる。収縮された構造物は可撓性であるため、一般に、丸めて乗用車（自動車）の荷物入れ（トランク）または倉庫に収納されられる。
【００１０】
強風でゴールが移動しないように、支持索（ｇｕｙ  ｌｉｎｅｓ）またはアンカの取り付けのためのアイまたはフックが、コネクタおよび／または支柱に追加的に設けられてもよい。ゴールポストおよび／またはクロスバーは、空気によって充填される支柱の外面に略適合するような形状である細長い湾曲したプラスチックシェルによって補強され、その周辺に適切に複数のフックアンドループ固着具ストリップによって固着されてもよい。
【００１１】
一体構造物に対する代替として、スポーツゴールは、分解可能なスポーツゴールを現場で組み立てるために、試合が行われることになっている運動場までの輸送し、乗用車（自動車）の荷物入れ（トランク）に容易に収納可能である部品のキットとして提供されてもよい。
【００１２】
また、本考案の第２の代替の態様において、分解可能なスポーツゴールを組み立てるための部品のキットが提供される。前記キットは、支柱を形成するために適合される複数の長さの管状材料と、クロスバー支柱と、ゴールポスト支柱と、ゴールのそれぞれの左側および右側の下部並びに後部を画定する地面支柱と、前記地面支柱を前記ゴールポストと前記クロスバーの端部との間に画定される前記ゴールの隅に及び前記端部の中間にある前記クロスバーの長さに沿った１つ以上の位置に相互接続する突っ張り構造物と、を有する一体構造物を形成するために、前記支柱を相互接続する結節点を形成するように適合される複数のコネクタと、を備え、前記管状材料が、前記管状材料または前記コネクタに設けられる１つ以上の弁を介して空気圧源から空気によって充填されることができる。
【考案を実施するための最良の形態】
【００１３】
本考案は、以下で、添付図面を参照して実施例によって具体的に説明される。
【００１４】
図１は、若年層のサッカーの協議用の標準サイズとして定められた標準的な１２フィート×６フィート（３．６５７６ｍ×１．８２８８ｍ）のゴールに適し、本考案の教示に基づいて構成されたスポーツゴールのための一般的な構成を示している。ゴール１は、複数の支柱２〜１５および支柱間の結節点を形成する複数のコネクタ１６〜２５を備える。各支柱は、空気によって充填されることができる管状材料から形成される。好ましくは、支柱が形成される材料は、支柱が単に充填されるより効果的にわずかに膨張可能であるように、わずかに膨張させる。
【００１５】
支柱およびコネクタは、ゴールポスト２、３と、ゴールの上部の中央にある結節点１６で結合される、ここでは２つの支柱４および５から形成されるクロスバーと、を提供するために接続される。クロスバーおよびゴールポストは、ゴールの上隅でコネクタ１７および１８によって共に接続される。支柱のセットはまた、地面支柱６、７および８および９も含み、それぞれ、ゴールの左側および右側および後部を画定する。左地面支柱６は、結節点１９で左ゴールポスト２に連結され、後部隅結節点２０で後部地面支柱８に連結される。同様に、右地面支柱７は、２１で右ゴールポスト３に連結され、後部隅結節点２２で後部地面支柱９に連結され、ゴールの後部を形成する２つの支柱８および９は、中央の下結節点２３で連結されている。
【００１６】
ゴールを直立に維持するために、突っ張り構造物もされに含まれる。突っ張り構造物は、突っ張り支柱１０および１１を含み、突っ張り支柱１０および１１はそれぞれ、後部隅結節点２０および上部左結節点１７を相互に接続し、後部隅結節点２２および上右結節点１８を相互に接続する。
【００１７】
図示された構造物はまた、中央下結節点２３およびクロスバー中央結節点１６に連結される中央突っ張り構造物も組み込む。この場合には、突っ張り構造物は、支柱１２、１３および１４を備え、支柱１２、１３および１４は、結節点２３、２４および２５で三角形を効果的に画定する。支柱１２は、略直立であるが、垂直である必要はないのに対し、支柱１３は、地面に沿って横たわるように配置される。この突っ張り構造物の上結節点２５は、短い支柱１５を介して、クロスバーの中央結節点１６を支持する。中央突っ張り構造物に関する他の構成も実現可能である。
【００１８】
支柱２〜１５は、ナイロン糸によって適切に補強される一般にゴム、合成ゴムまたはプラスチック代替品からなってもよく、空気によって充填されることができ、使用される有効な圧力でわずかに膨張されることが好ましい管状材料から適切に形成される。材料の厚さは、膨張した構造物において許容可能な剛性を実現するように選択される。本考案者は、約２ｍｍの厚さを有する材料が、直径３インチ（７．６２ｃｍ）のゴールポストおよびクロスバーに関して許容可能な結果を与えることを発見した。膨張圧は、広くさまざまに変化することができる。厚さ２ｍｍのナイロンで補強されたゴムを用いて、１〜５０ｐｓｉ（６．８９＊１０3〜３．４５＊１０4パスカル）の範囲にある膨張圧が用いられることができるが、良好な結果は、約２０ｐｓｉ（１．３８＊１０4パスカル）の膨張圧で得られる。そのような圧力は、フットポンプまたは乗用車のタイヤ（自動車のタイヤ）を膨張させるための類の携帯型電動ポンプによって容易に得られることができる。
【００１９】
結節点１６〜２５を形成するコネクタは、ナイロンなどの硬質プラスチック材料または支柱の材料と類似の材料から適切に成形されてもよい。コネクタに剛度を与えるために、わずかに厚いことが好ましい。
【００２０】
各結節点は、支柱のための管状材料のそれぞれの端部が合わせられる多数の管状支柱を効果的に画定することが分かる。コネクタは、管状支柱の端部が合わせられる個別のスタブパイプが中空であり、コネクタによって互いと相互接続されるように、適切に中空である。ゴールポスト、クロスバーおよび中央の突っ張り構造物のためのスタブパイプはすべて、適切に、直径３インチ（７．６２ｃｍ）であるのに対し、隅の突っ張り要素１０および１１は、適切に直径２インチ（５．０８ｃｍ）である。
【００２１】
適切な構造物は、各管状支柱の自然の直径を結節点でコネクタの対応する外径よりわずかに小さく構成することにより、簡単に集結され、次に、コネクタにわたって管状材料を強制的に適合させてもよい。好ましくは、ワイヤまたは適切なクリップ、たとえばジュビリクリップなどが、構造物を共に保持するために用いられてもよい。あるいは、各管状支柱は、内部ねじ山を有するように形成される一体に成形される硬質プラスチック端部を有してもよく、この内部ねじ山は、対応するコネクタに形成される外部ねじ山と内部で合うように適合される。別の代替構成において、支柱は、結節点で共に永久に連結される。この場合には、コネクタは、支柱の材料と同一の材料または類似の材料から適切に形成され、一体構造物を作製するために、支柱の端部は、スタブパイプに接着または融合される。
【００２２】
再び図面を参照すると、図２の概略斜視図に図示されているように、中央のクロスバーコネクタ１６は、直径３インチの短い長さのパイプ２６を備え、その中央部分に、これも直径３インチの短い長さのサイドパイプ２７を備える。
【００２３】
それぞれのゴールポスト２および３の脚部にあるコネクタ１９および２１は、簡単な直角屈曲パイプ部分２８および２９からなる（図１）。
【００２４】
図３は、上左隅コネクタ１７に関する概略斜視図を図示し、いずれの部分も直径３インチである直角パイプ部分３０、３１と、ゴールポスト２と共にゴールの左側を形成するそれぞれの支柱６および１０の長さに応じた角度で直角パイプ部分に連結される直径２インチのスタブパイプ３２と、を備える。コネクタ１８は、コネクタ１７の鏡像である。後部隅にあるコネクタ２０および２２は、２インチのパイプ部分が３インチの直角パイプ部分に接続される角度によって類似の構成であり、これもまた、ゴールのそれぞれの側部を画定する支柱２、６および１０または３、７および１１のそれぞれの寸法に左右される。
【００２５】
中央の突っ張り構造物は、結節点２３、２４および２５でコネクタによって相互に接続される支柱１２、１３および１４の三角形配置を備える。支柱１２は、略直立方向に延在するが、必ずしも垂直ではない。好ましくは、支柱１２は、垂直に延在するが、地面支柱８および９によって画定されるゴールの後部から前方に向かう位置から延在する。結果として、中央下コネクタ２３は、図４の上部平面図に最もよく図示されるように、より複雑な構成をとる。コネクタ２３は、スタブパイプ３４、３５、３６および３７を形成する十字形の配置３３を備える。支柱８および９用の管状材料は、スタブパイプ３５および３６にそれぞれ接続されるのに対して、後部突っ張り地面支柱１３用の管状材料は、スタブパイプ３４に連結される。スタブパイプ３７は、直立突っ張り支柱１２が連結される略直立部分３８を提供する直角屈曲部を構成する。
【００２６】
下後部中央の突っ張り結節点２４は、図５の側部立面図において図示されているように、簡単に角度をなした形状をとり、下地面突っ張り支柱１３および突っ張り支柱１４用のそれぞれの支柱３９と４０との間の角度は、直立突っ張り支柱１２に対するそれらの支柱の長さによって決定される。
【００２７】
しかし、中央突っ張り部分の上部におけるコネクタ２５は、図６の概略的な斜視図に図示されているように、さらに複雑な構成を有する。直立突っ張り支柱１２は好ましくは、それぞれのゴールポスト支柱２および３の高さより長さにおいてわずかに短く、その結果、支柱１２用のスタブパイプ４１と短い中央突っ張り支柱１５用のスタブパイプ４２との間に形成される角度は、９０度より大きい。これは、中央支柱１５を、わずかに下方から、クロスバーの中央部分を事実上支持または増強することを可能にし、クロスバーが撓まないように支援する。別の角度をなした部分４３、４４が、角度をなしたスタブパイプ４１、４２に接続され、部分４３はスタブパイプ４２の続きであり、これらの部分の間の正確な角度は、中央の突っ張り構造物における支柱１２、１３および１４のそれぞれの長さによって決定される。図６に示されているように、このコネクタにおけるすべてのスタブパイプは好ましくは、直径３インチである。
【００２８】
構造物は、適切な空気流体、好ましくは空気用の少なくとも１つおよび好ましくは２つ以上の弁を備える。左後部隅コネクタに関して、図７に概略的に示されているように、後部隅コネクタ２０、２２は、それぞれの入口弁４５および出口弁４６を備えていてもよい。これらの弁の正確な構成は重要ではない。そのような弁は、市場で容易に入手可能であり、空気タイヤ、膨張式日光浴用折り畳みいす、「バウンシーキャッスル」および他の子供用遊具構造物などに用いられている。容易に理解されるように、弁は、構造物の他の場所に配置されることもあり得る。
【００２９】
図８は、図１に示される方向Ａにおいて、ゴールラインに沿って見えることが分かるような、ゴールの上右隅の断片図であり、相互に接続される支柱およびコネクタによって形成される構造物にネットがどのように適切に取り付けられ得るかを示している。図示されているように、ネット４７は、それぞれの支柱、ここではゴールポスト支柱３の材料に一体に成形されるフックまたはアイ４９に対して位置４８で簡単に結ばれたり、輪にしたりする。
【００３０】
支柱は、強風でゴールを所定の場所に保持するように適合される支え綱またはアンカ用の別のフックまたはアイを備えてもよい。
【００３１】
一部の環境において、図１に図示される中央の突っ張り構造物によって設けられる突っ張りは、十分であることが判明していない可能性がある。さらなる突っ張りが、クロスバーの中央部分に必要であることが検出される場合には、支柱１２、１３、１４および１５によって設けられる構造物と類似のさらなる突っ張り構造物が、クロスバーの長さの中間にある複数の位置に設けられてもよい。図９は、クロスバー２１フィート（６．４００８ｍ）およびゴールポストの高さ７フィート（２．１３３６ｍ）のフルサイズのサッカーゴールに適した構成を概略的に示している。それぞれが、図１に示された構成部材と類似であってもよい、２つの中間突っ張り構成部材５０、５１が、この場合には使用される。
【００３２】
上記に記載したスポーツゴール構造物の主な利点は、容易に分解可能であり、最小の空間に詰め込まれることができ、空気圧源のような電動式タイヤ圧空気入れ装置を用いて容易に組み立てられることができる場合には、競技の備品が競技の行われることになっている開催地まで乗用車によって運ばれることができることである。ゴールポストを形成する直立支柱２および３は、選手が直立支柱に衝突したときに、標準的なゴールポストに比べて、選手の肉体とのより寛大な接触を提供する。しかし、たとえば、ボールがゴールポストに当たることを確実にするために、標準的なゴールポストと略同様に偏向されるように、より大きな剛度が必要とされる場合には、ゴールポストは、図１０に概略的に示されるように、部分管状プラスチックシェルの使用によって強化されてもよく、比較的硬質の湾曲したプラスチックシェル５２の細長い長さが、ゴールポスト５３の前側に使用され、ＶＥＬＣＲＯ（登録商標）フックアンドループ固着具から適切に形成されるストラップ５４によってゴールポストに取り付けられる。
【００３３】
最後に、本考案は、特にサッカーに関して上記で記載してきたが、適切に適合されたサイズおよび構造物のスポーツゴールの実際の実施形態は、これらに限定されるわけではないが、ラクロス、フィールドホッケー、アイスホッケー、ラグビー、ゲーリックフットボール、アメリカンフットボールおよびオーストラリア式フットボールなどの他のスポーツを行うために類似の方式で作製されてもよい。
【図面の簡単な説明】
【００３４】
【図１】図１は、本考案によって構成される一般的なスポーツゴールの概略的な全体斜視図である。
【図２】図２は、中央のクロスバーコネクタの概略的な拡大斜視図である。
【図３】図３は、左上隅のコネクタの概略的な拡大斜視図である。
【図４】図４は、中央の下コネクタの上部平面図である。
【図５】図５は、下後部の中央の突っ張りコネクタの側部立面図である。
【図６】図６は、上部中央の突っ張りコネクタの概略的な斜視図である。
【図７】図７は、後部隅のコネクタにおける弁の設備を示す図である。
【図８】図８は、ネットの取り付けを示すゴールの上隅の断片図を示す。
【図９】図９は、より大きなゴールのための突っ張りを示す図１と略類似の図である。
【図１０】図１０は、ゴールポストに対する強化材の使用を示す図である。
【符号の説明】
【００３５】
１  ゴール
２  ゴールポスト支柱
３  ゴールポスト支柱
４  クロスバー支柱
５  クロスバー支柱
６  左地面支柱
７  右地面支柱
８  後部地面支柱
９  後部地面支柱
１０  突っ張り支柱
１１  突っ張り支柱
１２  直立突っ張り支柱
１３  下地面突っ張り支柱
１４  突っ張り支柱
１５  短い支柱
１６  クロスバー中央結節点
１７  上左隅コネクタ
１８  上右隅コネクタ
１９  コネクタ
２０  後部隅結節点
２１  コネクタ
２２  後部隅結節点
２３  中央下コネクタ
２４  後部中央突っ張り結節点
２５  上結節点
２６  パイプ
２７  サイドパイプ
２８  直角屈曲パイプ部分
２９  直角屈曲パイプ部分
３０  直角パイプ部分
３１  直角パイプ部分
３２  スタブパイプ
３３  十字形の配置
３４  スタブパイプ
３５  スタブパイプ
３６  スタブパイプ
３７  スタブパイプ
３８  直立部分
３９  スタブ
４０  スタブ
４１  スタブパイプ
４２  スタブパイプ
４３  角度をなした部分
４４  角度をなした部分
４５  入口弁
４６  出口弁
４７  ネット
４９  アイ
５０  中間突っ張り構造物
５１  中間突っ張り構造物
５２  プラスチックシェル
５３  ゴールポスト
５４  ストラップ
【図１】
0003143669.tif 000003
【図２】
0003143669.tif 000004
【図３】
0003143669.tif 000005
【図４】
0003143669.tif 000006
【図５】
0003143669.tif 000007
【図６】
0003143669.tif 000008
【図７】
0003143669.tif 000009
【図８】
0003143669.tif 000010
【図９】
0003143669.tif 000011
【図１０】
0003143669.tif 000012